(57)【特許請求の範囲】
【請求項１】
電解液を使用するバッテリのためのバッテリケースのカバーにおいて、
上記バッテリケースのセル分離部に対応されるように底面に上記カバーと一体に形成されたセル分離部と；
上記カバーの底面の一方の側面から他方の側面まで上記セル分離部を貫通して上記カバー及び上記セル分離部と一体に形成されるパイプ形の排気部と；
上記セル分離部によって形成されたセル毎に少なくとも一つ以上が上記排気部と一体に形成され、上記バッテリ内部で生成されたガスが流入されるガス流入部を含み、
上記排気部は、上記ガス流入部が位置しない領域に、上記排気部へ流出される電解液を還收するための還收口を備え、
上記ガス流入部は、下部が下に向くようにしてＴ形に上記排気部に一体に形成され、
上記ガス流入部の底面は、閉鎖されており、少なくとも一つのガス流入口が上記ガス流入部の一方の側面に形成されていることを特徴とするバッテリケースのカバー。
【請求項２】
上記排気部の両終端には、防爆フイルター部が配置されることを特徴とする請求項１に記載のバッテリケースのカバー。
【請求項３】
上記防爆フイルター部は、
上記排気部の両終端に締結されるフイルターハウジングと；
上記フイルターハウジングの内部に配置される防爆フイルターを含むことを特徴とする請求項２に記載のバッテリケースのカバー。
【請求項４】
上記カバーの上面には、取っ手を収納することができる取っ手収納部が形成されることを特徴とする請求項１に記載のバッテリケースのカバー。
【請求項５】
上記ガス流入部は、内部が迷路構造になっていることを特徴とする請求項１に記載のバッテリケースのカバー。
【請求項６】
上記ガス流入部の底面は、生産時開放された構造であり、生産後一定圧力によって閉鎖されるベントキャップ方式に形成されることを特徴とする請求項１に記載のバッテリケースのカバー。
【発明の詳細な説明】
【技術分野】
【０００１】
本発明はバッテリケースカバーに関するものであって、より詳しく説明すれば、電解液を使用するバッテリの電槽部を覆うバッテリケースカバーに関するものである。
【背景技術】
【０００２】
バッテリ(電池)は、１次電池と充放電が可能な２次電池に分けるが、その中で大容量のバッテリは、電解液を使用する構造になっている。
【０００３】
このような電解液は液体として、いくつかの保安装置が設けられなければならない。先ず、電解液が外部へ漏れてはならないし、化学反応によって発生されるガスは爆発防止のために、外部へ放出させなければならない。このような役割は電解液が盛られる電槽(バッテリケース)を覆うバッテリケースカバーが遂行するようになる。
【０００４】
図１は、従来のバッテリケースカバーが具備されたバッテリを表した斜視図である。図１を参照してよく見ると、従来のバッテリは大きく、電解液が充填される電槽１３０と、電槽１３０を覆うバッテリケースカバー１４０からなっている。
【０００５】
バッテリケースカバー１４０は端子５０、取っ手収納部４０が形成されている下部カバー１１０と、上部カバー１２０の二重構造になっている。
【０００６】
図２は、従来のバッテリケースカバーの平面図であって、上部カバー１２０と下部カバー１１０とを分離した状態を示している。
【０００７】
下部カバー１１０は前で言及した、端子５０、取っ手の収納部４０の外にも、上部カバー１２０で覆われていた部分にガス流入口１１１と電槽に形成されたセルに合わせて隔壁１１３が具備されており、上部カバー１２０の底面は図３に示されたように隔壁１１３に対応される隔壁、ガス流入口１１１を通じて流入される排気ガスは排出させ、電解液は通過させない防爆フイルター１２９が具備されている。防爆フイルター１２９は外部の発火にバッテリケース内部の排気ガス及び電解液が反応しないようにする役割も兼ねてバッテリの爆発危険を防止する。
【０００８】
このような構造の従来のバッテリケースカバーの断面を図４を参照して検討すると、浮き上がっているガス流入口１１１の周辺を上部カバー１２０が覆って迷路構造を成していることが分かるが、これはガス流入口１１１を通じて流入される電解液が上記上下部カバーが締結されて形成される一定空間である排気部１２５へ電解液が容易に流入されるのを防止するためである。また、下部に位置したガス流入口は排気部１２５へ流入された電解液を電槽へ戻すために配置されている。
【０００９】
このように従来のバッテリケースカバーは電解液の容易な流入防止、排気ガスの排出、爆発防止、排気部へ流入された電解液の還元等を考慮して上記カバー内部を構成すべき理由として、上部と下部の２層構造で製作がなっている実情である。
【００１０】
しかし、このような２層構造のバッテリケースカバーは、上部と下部の各々に該当する工程と、上記上部と下部カバーの締結のための工程等が必要であるので、生産性が低下される問題点があった。
【発明の概要】
【発明が解決しようとする課題】
【００１１】
本発明は、上記のような問題点を改善するために創出されたものであって、容易な生産が可能な単層構造のバッテリケースカバーを提供することを目的とする。
【課題を解決するための手段】
【００１２】
上記の目的を達成するために、本発明は電解液を使用するバッテリケースカバーにおいて、上記バッテリケースのセル分離部に対応されるように底面に上記ケースカバーと一体に形成されたセル分離部と；上記ケースカバーの底面の一側面において他の側面まで上記セル分離部を貫通して上記ケースカバー及び上記セル分離部と一体に形成されるパイプ形の排気部と；上記セル分離部によって形成されたセル毎に少なくとも一つ以上が上記排気部と一体に形成され、上記バッテリ内部で生成されたガスが流入されるガス流入部を含むことを特徴とする。
【００１３】
ここで、上記排気部は上記ガス流入部が位置しない所定部位底面にホールが形成されることが好ましく、上記排気部の両終端には防爆フイルター部が配置されることが好ましい。
【００１４】
さらに、上記カバーの上面には取っ手を収納できる取っ手収納部が形成されることが好ましい。
【００１５】
上記ガス流入部は下部が下に向くようにしてT形に上記排気部に一体に形成されることが好ましく、この時、上記ガス流入部は内部が迷路構造になっていることが好ましい。ここで、上記ガス流入部の底面は閉鎖されており、側面下部にホールが形成されていることが好ましく、上記ガス流入部の底面は生産のとき開放された構造であり、生産後一定圧力によって閉鎖されるベントキャップ(vent-cap)方式に形成されることが好ましい。
【図面の簡単な説明】
【００１６】
【図１】従来のバッテリケースカバーが具備されたバッテリを示した斜視図である。
【図２】従来のバッテリケースカバーの平面図である。
【図３】従来のバッテリケースカバーの２層構造において上部カバーの底面を示した概略図である。
【図４】図２の断面図である。
【図５】本発明の好ましき一実施例によるバッテリケースカバーを示した斜視図である。
【図６】図５の底面を示した図である。
【図７】本発明の好ましき一実施例によるバッテリケースカバーのガス流入部を示した斜視図である。
【図８】図５の断面図である。
【図９】本発明の好ましき一実施例によるバッテリケースカバーの一部断面斜視図である。
【図１０】本発明の好ましき一実施例によるバッテリケースカバーが締結されたバッテリの断面図である。
【図１１】図１０の斜視図である。
【発明を実施するための形態】
【００１７】
以下、添付された図面を参照しながら本発明の好ましき一実施例を詳しく説明する。
【００１８】
図５は本発明の好ましき一実施例によるバッテリケースカバーを示した斜視図であり、図６は図５の底面を示した図である。図５及び図6を参照するに、本実施例によるバッテリケースカバー２００はバッテリケースのセル分離部に対応されるように底面にバッテリケースカバー２００と一体に形成されたセル分離部２３０と；上記ケースカバーの底面１側面から他の側面まで上記セル分離部を貫通して上記ケースカバー及び上記セル分離部と一体に形成されるパイプ形の排気部２７０と；上記セル分離部によって形成されたセル毎に少なくとも一つ以上が上記排気部と一体に形成され、上記バッテリ内部で生成されたガスが流入されるガス流入部２１０が形成されていることが分かる。
【００１９】
セル分離部２３０はバッテリケース本体に電解液が盛られたセルを多層に構成する構造で形成されるケースの隔壁(セル分離部)に対応して締結が行われる部位であって、上記バッテリケースの隔壁との締結を容易にするためにガイドが形成されていることが好ましい。
【００２０】
排気部２７０はバッテリ内部の電解液の化学反応によって発生される排気ガスの通路となる部位であって、パイプ形に形成され内部洞孔が上記排気ガスの通路となる。また、上記排気部は衝撃や傾き等で電解液バッテリケースカバーに到達する場合、直接的に防爆フイルターに上記電解液が触れないようにする緩衝役割も兼ねるようになる。上記排気部の両終端には防爆フイルター部２９０が配置されバッテリ内部の排気ガスは排出させ、電解液の流出は防ぐようになっている。また、上記防爆フイルター部は外部の熱火が内部へ進入できないようにしてバッテリの爆発を防止する役割も遂行する。上記防爆フイルター部は上記排気部の両終端に締結されるフイルターハウジング２９３と；上記フイルターハウジングの内部に配置される防爆フイルター２９１で区分され防爆フイルター部の堅固な締結を図ると共に、外部から流入される加害要素から上記防爆フイルターを保護させることが好ましい。
【００２１】
ガス流入部２１０はバッテリ内部で発生される排気ガスが流入される部位であって、上記排気ガスの流入のために所定のホールガス流入口が形成されている。
【００２２】
一方、排気部２７０はガス流入部２１０が位置しない所定部位の底面に別途のホールを形成させることもできるが、これはセル分離部２３０、排気部２７０およびガス流入部２１０が一体に形成されている本実施例によるバッテリケースカバーを１段階の工程で製作するためである。勿論、別途のホール無しにも該工程は可能であるが、これは、精巧な作業を要するようになり、上記ホールを形成してガス流入口として作用するようにする目的もある。
【００２３】
一方、本実施例によるバッテリケースカバーの上面には従来のように端子２５０と取っ手の収納部２４０が形成されていることが好ましい。
【００２４】
図７は、本発明の好ましき一実施例によるバッテリケースカバーのガス流入部を示した斜視図である。図７は、ガス流入部２１０が一体に連結された排気部２７０の両端を切断した状態であって、検討して見ると、ガス流入部２１０の下部が下に向くように(図７はカバーを裏返した状態)してＴ形に上記排気部に一体に連結されていることが分かる。
【００２５】
ガス流入部２１０は内部が迷路構造(図示しない)で形成され、上記ガス流入部の底面は閉鎖されていることが好ましい。この場合、排気ガス流入のためのガス流入口２１１が側面下部に形成されていることが好ましく、この時、ガス流入部の底面は生産のとき開放された構造であり、生産後、一定な圧力によって閉鎖されるベントキャップ２１３方式にして、製作が容易にすることが好ましい。
【００２６】
これを通じて、製作工程では上記ガス流入部を単一工程に形成させるようになり、追後、キャップ２１３に圧力を加える単純工程を通じて、上記ガス流入部の底面は閉鎖される。
【００２７】
上記ガス流入部に形成されたガス流入口２１１を通じて望まなかった電解液が流入される場合、上記ガス流入部の内部に形成された迷路によって電解液が排気部２７０へ直接流入される経路が遮断される。
【００２８】
また、前で言及したように、排気部２７０でガス流入部２１０が配置された位置の他に、別途の還収口２７３を形成させ、排気部２７０へ流入される電解液を還収するための還収口の役割を兼ねると共に、単一工程でバッテリケースカバーを製作することを容易にする。
【００２９】
図8は本発明の好ましき一実施例によるバッテリケースカバーの断面図であって、検討して見ると、排気ガス及び流入された電解液の通路となる排気部２７０と、上記排気部と一体であり、下方向に連結されているガス流入部２１０とセルを分けるケース(電槽)の隔壁に締結されるセル分離部２３０からなっていることが分かる。
【００３０】
このような構造における排気ガス流動は細い点線のように成るようになり、電解液はガス流入部に形成されたガス流入口２１１を通じて流入されても、迷路構造により排気部までの到達を難しくなるようになっている。勿論、バッテリの傾きが甚だしい場合、上記排気部に形成された還収口２７３を通じて流入されることもできるが、排気部に形成された還収口が上記ガス流入部より高い位置に形成されるという点、還収口の形成方向が電解液の位置と反対となる(向かい合う)方向であるとの点、上記排気部内の気圧の影響を受けるという点によって、その流入量は微々である。また、一定量の電解液が流入された場合であるといえども、上記排気部に形成された還収口を通じて再び電槽へ還水される。
【００３１】
一方、上記排気部は望まない理由で流入された電解液がある場合、上記排気部内部の下部に流れるように(重力による)して、実際に排出を図る排気ガスは上記排気部内部の上部を沿って流動するように誘導する。
【００３２】
上記排気部の両終端には前で言及した防爆フイルター２９１とフイルターハウジング２９３から成る防爆フイルター部が締結される。
【００３３】
上記ガス流入部の迷路２１５は、上記ガス流入部の内部で排気部２７０底面の該当部位を浮きあがるようにして形成するものであって、このように構造を形成するとき、特に上記排気部に形成された還収口２７３を利用した製作工程が要求される。迷路２１５自体が迷路構造をなすものではなく、上記迷路を取り囲む上記ガス流入部の内壁と相互連動して迷路構造となるのである。
【００３４】
第９は本発明の好ましき一実施例によるバッテリケースカバーの一部断面斜視図であって、これを通じて前で説明した図面等の連関関係を明らかに表したものであり、このようなバッテリケースカバーをバッテリケース(電槽)に装着した状態の断面図及び斜視図を図１０及び１１に示した。
【００３５】
バッテリケース(電槽)３００のセル分離部(隔壁)３１０に対応されるよう底面にケースカバー２００と一体に形成されたセル分離部２３０及び上記セル分離部との締結を容易にするためのガイド２３１と；上記ケースカバー底面の一側面から他の側面まで上記セル分離部を貫通して上記ケースカバー及び上記セル分離部と一体に形成されるパイプ形の排気部２７０と；上記セル分離部によって形成されたセル毎に少なくとも一つ以上が上記排気部と一体に形成され、上記バッテリ内部で生成されたガスが流入されるガス流入部２１０からなるバッテリケースカバー２００がバッテリケース(電槽)３００に締結されており、その外観は従来の２層構造に比べて簡潔になることが分かる。
【産業上の利用可能性】
【００３６】
以上で説明したとおり、本発明に基づいたバッテリケースカバーはバッテリケースカバーの構成要素である排気部、セル分離部、ガス流入部を底面に一体に形成させると共に、パイプ形の排気部、ベントキャップ方式を導入したガス流入部を通じて単一工程で生産が行われるようにしている。
【００３７】
これによって、該構造及び生産が容易であり、併せて、各構成要素が一体に形成された単層構造によって耐久が増加して製品の信頼度を向上させることができるばかりでなく、スマートな外観を提供する効果がある。
【符号の説明】
【００３８】
１４０、２００  バッテリケースカバー
１３０、３００  電槽(バッテリケース)
１１０  下部カバー
１２０  上部カバー
１１３  隔壁
１１１、２１１  ガス流入口
５０、２５０  端子
４０、２４０  取っ手収納部
１２９、２９１  防爆フイルター
１２５、２７０  排気部
２７３  還収口
２９３  フイルターハウジング
２９０  防爆フイルター部
２１０  ガス流入部
２３０  セル分離部
２１３  キャップ
２１５  迷路
３１０  セル分離部(隔壁)
【図１】
0005295113.tif 000002
【図２】
0005295113.tif 000003
【図３】
0005295113.tif 000004
【図４】
0005295113.tif 000005
【図７】
0005295113.tif 000006
【図８】
0005295113.tif 000007
【図９】
0005295113.tif 000008
【図１０】
0005295113.tif 000009
【図１１】
0005295113.tif 000010
【図５】
0005295113.tif 000011
【図６】
0005295113.tif 000012